(57)【要約】【課題】表示画像におけるグラデーションを軽減させる。【解決手段】ＴＰ１において、走査線２１０がオン電位（Ｖｏｎ）となり、データ線３１０の消光準備信号（Ｖｐｒｅ−ｅｒｓ）が駆動トランジスタのゲート端子である第１ノード６５０に与えられ、第１ノード６５０の電位が上昇する。これに伴い、保持容量からのカップリングの影響を受けて、駆動トランジスタのソース端子である第２ノード６６０の電位が上昇する。そして、データ線３１０が消光信号の電位（Ｖｅｒｓ）に切り替わり、第１ノード６５０が消光信号の電位（Ｖｅｒｓ）まで低下するとともに、第２ノード６６０の電位が保持容量からのカップリングにより低下する。ＴＰ２において、第２ノード６６０の電位が緩やかに低下する。このとき、発光素子の閾値電位（Ｖｔｈｅｌ＋Ｖｃａｔ）より第２ノード６６０の電位が高いため、発光素子は発光している。【選択図】図１２
2010224416.tif 000002
【特許請求の範囲】
【請求項１】
複数の画素回路と、
映像信号の電位と発光素子を消光させるための消光電位と前記消光電位より高い電位である高レベル電位とのうちいずれか１つの電位を供給する信号供給回路とを具備し、
前記複数の画素回路の各々は、
前記映像信号に相当する電圧を保持するための保持容量と、
前記保持容量に保持された電圧に応じた電流を前記発光素子に供給する駆動トランジスタと、
前記駆動トランジスタから供給された電流に応じて発光する発光素子と、
前記信号供給回路により前記高レベル電位および前記消光電位の順番に供給された電位を前記駆動トランジスタのゲート端子に与えた後に前記映像信号に相当する電圧を前記保持容量に書き込む書込みトランジスタと
を含む表示装置。
【請求項２】
前記複数の画素回路に対して複数の行ごとに同じ電源電位を供給する電源供給回路をさらに具備し、
前記駆動トランジスタは、前記電源電位を受けることによって前記保持容量に保持された電圧に応じた電流を前記発光素子に供給する
請求項１記載の表示装置。
【請求項３】
前記信号供給回路は、前記映像信号の電位の範囲において前記高レベル電位を供給する請求項１記載の表示装置。
【請求項４】
前記信号供給回路は、前記映像信号の電位の範囲における中程より低い範囲において前記高レベル電位を供給する請求項３記載の表示装置。
【請求項５】
前記発光素子は、有機エレクトロルミネッセンス素子により構成される請求項１記載の表示装置。
【請求項６】
複数の画素回路と、
映像信号の電位と発光素子を消光させるための消光電位と前記消光電位より高い電位である高レベル電位とのうちいずれか１つの電位を供給する信号供給回路とを具備し、
前記複数の画素回路の各々は、
前記映像信号に相当する電圧を保持するための保持容量と、
前記保持容量に保持された電圧に応じた電流を前記発光素子に供給する駆動トランジスタと、
前記駆動トランジスタから供給された電流に応じて発光する発光素子と、
前記信号供給回路により前記高レベル電位および前記消光電位の順番に供給された電位を前記駆動トランジスタのゲート端子に与えた後に前記映像信号に相当する電圧を前記保持容量に書き込む書込みトランジスタと
を含む電子機器。
【発明の詳細な説明】
【技術分野】
【０００１】
本発明は、電子機器に関し、特に発光素子を画素に用いた表示装置、および、その表示装置を備える電子機器に関する。
【背景技術】
【０００２】
発光素子として有機エレクトロスミネッセンス（ＥＬ：Electroluminescence）素子を用いた平面自発光型の表示装置の開発が近年盛んに行われている。この有機ＥＬ素子は、有機薄膜に電界をかけると発光するものであり、低電圧駆動により視認性もよいことから、表示装置の軽量薄膜化や低消費電力化などに寄与するものと期待されている。
【０００３】
この有機ＥＬ素子を用いた表示装置においては、画素回路を構成する駆動トランジスタによって有機薄膜に印加する電界の制御を行うが、この駆動トランジスタが有する閾値電圧および移動度には個体ごとにばらつきがある。このため、これらの個体差を補正するための閾値補正処理および移動度補正処理が必要となることから、このような補正処理の機能を備えた表示装置が考案されている。例えば、画素回路に供給する電源信号およびデータ信号をスイッチングさせることによって、画素回路を構成する駆動トランジスタの閾値電圧および移動度のばらつきに対する補正機能を備える表示装置が提案されている（例えば、特許文献１参照。）。
【先行技術文献】
【特許文献】
【０００４】
【特許文献１】特開２００８−３３１９３号公報（図４Ａ）
【発明の概要】
【発明が解決しようとする課題】
【０００５】
上述の従来技術では、画素回路を構成する駆動トランジスタの閾値電圧および移動度のばらつきを補正することができる。この場合、電源信号をスイッチングさせるため、電源信号を切り替えるためのドライバが１行ごとに必要となり、表示装置のコストが高くなる。これに対し、複数行ごとに電源信号を切り替える構成にすることによって、ドライバ数を削減することが考えられる。しかしながら、このような構成においては、電源信号の切り替えによらず、発光素子を消光させるため、発光素子の寄生容量などの影響によって発光素子を完全に消光させるのに時間を要する場合がある。このような場合には、表示画像にグラデーションが発生してしまうことがある。
【０００６】
本発明はこのような状況に鑑みてなされたものであり、表示画像におけるグラデーションを軽減させることを目的とする。
【課題を解決するための手段】
【０００７】
本発明は、上記課題を解決するためになされたものであり、その第１の側面は、複数の画素回路と、映像信号の電位と発光素子を消光させるための消光電位と上記消光電位より高い電位である高レベル電位とのうちいずれか１つの電位を供給する信号供給回路とを具備し、上記複数の画素回路の各々は、上記映像信号に相当する電圧を保持するための保持容量と、上記保持容量に保持された電圧に応じた電流を上記発光素子に供給する駆動トランジスタと、上記駆動トランジスタから供給された電流に応じて発光する発光素子と、上記信号供給回路により上記高レベル電位および上記消光電位の順番に供給された電位を上記駆動トランジスタのゲート端子に与えた後に上記映像信号に相当する電圧を上記保持容量に書き込む書込みトランジスタとを含む表示装置および電子機器である。これにより、信号供給回路により高レベル電位および消光電位の順番に供給された電位を、駆動トランジスタのゲート端子に与えることにより、保持容量を介して発光素子の入力端子の電位を上昇させるという作用をもたらす。
【０００８】
また、この第１の側面において、上記複数の画素回路に対して複数の行ごとに同じ電源電位を供給する電源供給回路をさらに具備し、上記駆動トランジスタは、上記電源電位を受けることによって上記保持容量に保持された電圧に応じた電流を上記発光素子に供給するようにしてもよい。これにより、複数行の画素回路ごとに同じ電源電位を供給させるという作用をもたらす。
【０００９】
また、この第１の側面において、上記信号供給回路は、上記映像信号の電位の範囲において上記高レベル電位を供給するようにしてもよい。これにより、映像信号の電位の範囲において高レベル電位を供給させるという作用をもたらす。この場合において、上記信号供給回路は、上記映像信号の電位の範囲における中程より低い範囲において上記高レベル電位を供給するようにしてもよい。これにより、映像信号の電位の範囲における中程より低い範囲において高レベル電位を供給させるという作用をもたらす。
【００１０】
また、この第１の側面において、上記発光素子を、有機エレクトロルミネッセンス素子により構成するようにしてもよい。これにより、有機エレクトロルミネセンス素子により発光させるという作用をもたらす。
【発明の効果】
【００１１】
本発明によれば、表示画像におけるグラデーションを軽減させるという優れた効果を奏し得る。
【図面の簡単な説明】
【００１２】
【図１】本発明の実施の形態の適用対象となる表示装置の基本構成例を示す概念図である。
【図２】表示装置１００における水平セレクタ（ＨＳＥＬ）３００によるデータ線（ＤＴＬ）３１１乃至３１３に供給されるデータ信号の生成手法の一例を示す図である。
【図３】表示装置１００の基本動作の一例に関するタイミングチャートである。
【図４】表示装置１００における画素６００の構成例を模式的に示す回路図である。
【図５】表示装置１００における画素６００の基本動作の一例に関するタイミングチャートである。
【図６】ＴＰ８、ＴＰ１、ＴＰ２の期間にそれぞれ対応する画素６００の動作状態を模式的に示す回路図である。
【図７】ＴＰ３乃至ＴＰ５の期間にそれぞれ対応する画素６００の動作状態を模式的に示す回路図である。
【図８】ＴＰ６乃至ＴＰ８の期間にそれぞれ対応する画素６００の動作状態を模式的に示す回路図である。
【図９】表示装置１００における消光期間ＴＰ１において第２ノード（ＮＤ２）６６０の電位が緩やかに低下する場合における画素６００の動作を例示するタイミングチャートである。
【図１０】表示装置１００における消光期間ＴＰ１において第２ノード（ＮＤ２）６６０の電位が緩やかに低下する場合における表示装置１００に表示される表示画像に関する図である。
【図１１】本発明の第１の実施の形態における水平セレクタ（ＨＳＥＬ）３００によるデータ線（ＤＴＬ）３１１乃至３１３に供給されるデータ信号の生成手法の一例を示す図である。
【図１２】本発明の第１の実施の形態における画素６００の動作の一例に関するタイミングチャートである。
【図１３】本発明の第１の実施の形態による消光期間ＴＰ１における第２ノード（ＮＤ２）６６０の電位上昇による表示画像のグラデーションに関する図である。
【図１４】図１３（ｂ）に示した電流特性６６１および６６２における積分値の比較結果を示す図である。
【図１５】本発明の第１の実施の形態におけるデータ信号の生成波形の変形例を示す図である。
【図１６】本発明の第２の実施の形態におけるテレビジョンセットを示す斜視図である。
【図１７】本発明の第２の実施の形態におけるデジタルスチルカメラを示す斜視図である。
【図１８】本発明の第２の実施の形態におけるノート型パーソナルコンピュータを示す斜視図である。
【図１９】本発明の第２の実施の形態における携帯端末装置を示す模式図である。
【図２０】本発明の第２の実施の形態におけるビデオカメラを示す斜視図である。
【発明を実施するための形態】
【００１３】
以下、本発明を実施するための形態（以下、実施の形態と称する）について説明する。説明は以下の順序により行う。
１．第１の実施の形態（表示制御：データ信号に消光準備信号の電位を加えた例）
２．第２の実施の形態（表示制御：電子機器への適用例）
【００１４】
＜１．第１の実施の形態＞
［表示装置の基本構成例］
図１は、本発明の実施の形態の適用対象となる表示装置の基本構成例を示す概念図である。
【００１５】
表示装置１００は、ライトスキャナ（ＷＳＣＮ：Write SCaNner）２００と、水平セレクタ（ＨＳＥＬ：Horizontal SELector）３００と、電源スキャナ（ＤＳＣＮ：Drive SCaNner）４００とを備える。さらに、この表示装置１００は、画素アレイ部５００を備える。この画素アレイ部５００は、ｎ×ｍの二次元マトリックス状に配列された複数の画素６００を備える。また、表示装置１００には、走査線（ＷＳＬ：Write Scan Line）２１０と、データ線（ＤＴＬ：DaTa Line）３１０と、電源線（ＤＳＬ：Drive Scan Line）４１０とが配線されている。
【００１６】
走査線（ＷＳＬ）２１０および電源線（ＤＳＬ）４１０は、画素６００の各行に対してそれぞれ配線され、ライトスキャナ（ＷＳＣＮ）２００および電源スキャナ（ＤＳＣＮ）４００にそれぞれ接続される。データ線（ＤＴＬ）３１０は、画素６００の各列に対してそれぞれ配線され、水平セレクタ（ＨＳＥＬ）３００に接続される。また、この走査線（ＷＳＬ）２１０、データ線（ＤＴＬ）３１０および電源線（ＤＳＬ）４１０の各々は、画素６００の各々にそれぞれ接続される。
【００１７】
ライトスキャナ（ＷＳＣＮ）２００は、２次元マトリック状に配列された複数の画素６００を線順次走査するものである。このライトスキャナ（ＷＳＣＮ）２００は、データ線（ＤＴＬ）３１０から供給されるデータ信号を行単位により画素６００に書き込む。すなわち、ライトスキャナ（ＷＳＣＮ）２００は、データ線（ＤＴＬ）３１０からのデータ信号を画素６００に書き込むタイミングを行単位ごとに順次制御する。
【００１８】
このライトスキャナ（ＷＳＣＮ）２００は、そのデータ信号が書き込まれるタイミングを順次制御するための制御信号を生成する。このライトスキャナ（ＷＳＣＮ）２００は、データ信号を書き込むためのオン電位、データ信号の書き込みを停止させるためのオフ電位を制御信号として生成する。このライトスキャナ（ＷＳＣＮ）２００は、そのオフ電位として、画素６００を発光させるための第１オフ電位および画素６００の初期化によるデータ線（ＤＴＬ）３１０からの電流の漏れ込みを防止するための第２オフ電位を生成する。すなわち、このライトスキャナ（ＷＳＣＮ）２００は、オン電位、第１オフ電位および第２オフ電位のうちいずれか１つの電位を制御信号として生成する。また、ライトスキャナ（ＷＳＣＮ）２００は、その生成された制御信号を走査線（ＷＳＬ）２１０に供給する。
【００１９】
このライトスキャナ（ＷＳＣＮ）２００は、画素６００の各行にそれぞれ対応するドライバ２０１乃至２０５を備える。このドライバ２０１乃至２０５は、それぞれに対応する各行の画素６００に対して、データ線（ＤＴＬ）３１０から供給されるデータ信号を書き込むための制御信号を生成する。そして、このドライバ２０１乃至２０５は、その生成された制御信号を走査線（ＷＳＬ）２１１乃至２１５にそれぞれ供給する。
【００２０】
水平セレクタ（ＨＳＥＬ）３００は、映像信号の電位と、画素６００を構成する駆動トランジスタの閾値電圧に対する補正（閾値補正）を行うための基準信号の電位と、画素６００を消光させるための消光信号の電位（消光電位）とのいずれかを選択するものである。すなわち、この水平セレクタ（ＨＳＥＬ）３００は、映像信号、基準信号および消光信号のうちいずれか１つの信号を選択する。そして、この水平セレクタ（ＨＳＥＬ）３００は、その選択された信号をデータ信号としてデータ線（ＤＴＬ）３１０に供給する。また、水平セレクタ（ＨＳＥＬ）３００は、ライトスキャナ（ＷＳＣＮ）２００による線順次走査に基づいてデータ信号を切り替える。
【００２１】
電源スキャナ（ＤＳＣＮ）４００は、複数の行（ｊ行：ｊは２以上の整数）ごとに同じ電源信号を順次供給するものである。すなわち、この電源スキャナ（ＤＳＣＮ）４００は、複数の電源線（ＤＳＬ）４１０ごとに電源信号を順次供給する。この電源スキャナ（ＤＳＣＮ）４００は、例えば、一定数の行単位により、画素６００に電流を供給するための電源電位、または、画素６００を初期化するための初期化電位のいずれか一方に電源信号を切り替える。また、この電源スキャナ（ＤＳＣＮ）４００は、その電源信号を電源線（ＤＳＬ）４１０に供給する。
【００２２】
この電源スキャナ（ＤＳＣＮ）４００は、複数行（ｊ行）ごとにそれぞれ対応するドライバ４０１乃至４０３を備える。このドライバ４０１乃至４０３は、それぞれに対応する一定数の行の画素６００に対する電源信号を生成する。このドライバ４０１乃至４０３は、その生成された電源信号を電源線（ＤＳＬ）４１１乃至４１３にそれぞれ供給する。なお、電源スキャナ（ＤＳＣＮ）４００は、特許請求の範囲に記載の電源供給回路の一例である。
【００２３】
画素６００は、走査線（ＷＳＬ）２１０からの制御信号に基づいて、データ線（ＤＴＬ）３１０からの映像信号に相当する電圧に応じて所定の期間、発光するものである。
【００２４】
このように、電源スキャナ（ＤＳＣＮ）４００は、複数行の画素６００ごとに同じ電源信号を供給することによって、電源スキャナ（ＤＳＣＮ）４００のドライバの数を削減することができる。これにより、表示装置１００の製造コストを削減することができる。次に、水平セレクタ（ＨＳＥＬ）３００の一構成例について次図を参照して説明する。
【００２５】
［水平セレクタの構成例］
図２は、表示装置１００における水平セレクタ（ＨＳＥＬ）３００によるデータ線（ＤＴＬ）３１１乃至３１３に供給されるデータ信号の生成手法の一例を示す図である。図２（ａ）は、表示装置１００における水平セレクタ（ＨＳＥＬ）３００における一構成例を示すブロック図である。図２（ｂ）は、図２（ａ）に示した構成における切替制御線３２１乃至３２３およびデータ線（ＤＴＬ）３１０の電位変化を示すタイミングチャートである。
【００２６】
図２（ａ）には、映像信号線３０１乃至３０３と、基準信号線３９１と、消光信号線３９２と、切替制御線３２１乃至３２３と、切替回路３５１乃至３５３と、切替回路３６１乃至３６３と、切替回路３７１乃至３７３とが示されている。
【００２７】
映像信号線３０１乃至３０３には、各列の画素６００の各々に対する映像信号（Ｖｓｉｇ）が時分割により供給される。基準信号線３９１には、画素６００を構成する駆動トランジスタの閾値に対する補正（閾値補正）を行うための基準信号（Ｖｏｆｓ）が供給されている。消光信号線３９２には、画素６００を消光させるための消光信号（Ｖｅｒｓ）が供給されている。切替制御線３２１には、切替回路３５１乃至３５３の切り替えを制御するための切替制御信号（Ｇｓｉｇ）が供給される。切替制御線３２２には、切替回路３６１乃至３６３の切り替えを制御するための切替制御信号（Ｇｏｆｓ）が供給される。切替制御線３２３には、切替回路３７１乃至３７３の切り替えを制御するための切替制御信号（Ｇｅｒｓ）が供給される。
【００２８】
切替回路３５１乃至３５３は、切替制御線３２１からの切替制御信号（Ｇｓｉｇ）に基づいて、映像信号線３０１乃至３０３とデータ線（ＤＴＬ）３１１乃至３１３との間の接続の有無をそれぞれ切り替えるものである。切替回路３６１乃至３６３は、切替制御線３２２からの切替制御信号（Ｇｏｆｓ）に基づいて、基準信号線３９１とデータ線（ＤＴＬ）３１１乃至３１３との間の接続の有無をそれぞれ切り替えるものである。切替回路３７１乃至３７３は、切替制御線３２３からの切替制御信号（Ｇｅｒｓ）に基づいて、消光信号線３９２とデータ線（ＤＴＬ）３１１乃至３１３との間の接続の有無をそれぞれ切り替えるものである。
【００２９】
図２（ｂ）には、横軸を共通の時間軸とする切替制御線３２１乃至３２３およびデータ線（ＤＴＬ）３１０の電位変化が示されている。また、本来、映像信号の電位（Ｖｓｉｇ）は、表示装置１００に入力される映像信号に応じて変化するが、この例では、一定の電位であることを想定している。ここでは、１水平走査期間（１Ｈ）における水平セレクタ（ＨＳＥＬ）３００の動作について説明する。
【００３０】
まず、１つ前の水平走査期間の終了直前において、切替制御線３２１における切替制御信号（Ｇｓｉｇ）の電位がＬ（Ｌｏｗ）レベルに、切替制御線３２２における切替制御信号（Ｇｏｆｓ）の電位がＨ（Ｈｉｇｈ）レベルに設定されている。また、切替制御線３２３における切替制御信号（Ｇｅｒｓ）の電位がＬレベルに設定されている。
【００３１】
次に、１水平走査期間において、切替制御線３２１における切替制御信号（Ｇｓｉｇ）の電位がＬレベルからＨレベルに遷移するとともに、切替制御線３２２における切替制御信号（Ｇｏｆｓ）の電位がＨレベルからＬレベルに切り替る。これにより、切替回路３５１乃至３５３により映像信号線３０１乃至３０３とデータ線（ＤＴＬ）３１１乃至３１３とがそれぞれ接続されるため、データ線（ＤＴＬ）３１０にデータ信号として映像信号（Ｖｓｉｇ）が供給される。
【００３２】
次に、切替制御線３２１における切替制御信号（Ｇｓｉｇ）の電位がＨレベルからＬレベルに切り替るとともに、切替制御線３２３における切替制御信号（Ｇｅｒｓ）の電位がＬレベルからＨレベルに切り替る。これにより、切替回路３７１乃至３７３により消光信号線３９２とデータ線（ＤＴＬ）３１１乃至３１３とがそれぞれ接続されるため、データ線（ＤＴＬ）３１１乃至３１３にデータ信号として消光信号（Ｖｅｒｓ）が供給される。
【００３３】
そして、切替制御線３２３における切替制御信号（Ｇｅｒｓ）の電位がＨレベルからＬレベルに遷移するとともに、切替制御線３２２における切替制御信号（Ｇｏｆｓ）の電位がＬレベルからＨレベルに切り替る。これにより、切替回路３６１乃至３６３により基準信号線３９１とデータ線（ＤＴＬ）３１１乃至３１３とがそれぞれ接続されるため、データ線（ＤＴＬ）３１０にデータ信号として基準信号（Ｖｏｆｓ）が供給される。
【００３４】
このように、データ線（ＤＴＬ）３１０の各々に対して、３つの切替回路および３本の切替制御線３２１乃至３２３を用いることによって、３値化されたデータ信号を生成することができる。
【００３５】
［表示装置の基本動作の例］
図３は、表示装置１００の基本動作の一例に関するタイミングチャートである。ここでは、横軸を共通の時間軸として、電源線（ＤＳＬ）４１１および４１２と、データ線（ＤＴＬ）３１０と、走査線（ＷＳＬ）２１１乃至２１４との電位変化が示されている。
【００３６】
データ線（ＤＴＬ）３１０の電位変化は、図２（ｂ）で述べたとおり、水平セレクタ（ＨＳＥＬ）３００により生成されたデータ信号の電位変化である。電源線（ＤＳＬ）４１１および４１２の電位変化は、電源スキャナ（ＤＳＣＮ）４００におけるドライバ４０１および４０２により生成された電源信号の電位変化である。この電源線（ＤＳＬ）４１１および４１２には、画素６００に電流を供給するための電源電位（Ｖｃｃ）および画素６００を初期化するための初期化電位（Ｖｓｓ）のいずれか一方の電位が供給される。
【００３７】
走査線（ＷＳＬ）２１１乃至２１４は、ライトスキャナ（ＷＳＣＮ）２００におけるドライバ２０１乃至２０４によりそれぞれ生成された制御信号の電位変化である。この走査線（ＷＳＬ）２１１乃至２１４には、制御信号として、上述のとおり、オン電位（Ｖｏｎ）、第１オフ電位（Ｖｏｆｆ１）および第２オフ電位（Ｖｏｆｆ２）のいずれか１つの電位が供給される。これにより、この走査線（ＷＳＬ）２１１乃至２１４には、それぞれ３つのパルス２２１乃至２２３が供給される。
【００３８】
１つ目のパルス２２１は、画素６００の発光を消光させるために消光信号の電位（Ｖｅｒｓ）を画素６００に与えるためのパルスである。２つ目のパルス２２２は、閾値補正のために基準信号の電位（Ｖｏｆｓ）を画素６００に与えるためのパルスである。３つ目のパルス２２３は、画素６００を構成する駆動トランジスタの移動度に対する補正を行うとともに映像信号（Ｖｓｉｇ）を書き込むためのパルスである。また、走査線（ＷＳＬ２）２１２には、走査線（ＷＳＬ１）２１１を基準として１Ｈ（水平走査期間）後にそれぞれのパルスが供給される。また、ここでは図示していないが、走査線（ＷＳＬ２）２１２の１行下の走査線には、走査線（ＷＳＬ２）２１２を基準として１Ｈ後にそれぞれのパルスが供給される。
【００３９】
この場合、走査線（ＷＳＬ）２１１乃至２１３に接続されている画素６００に電源線（ＤＳＬ）４１１の電源信号が同時に印加され、走査線（ＷＳＬ）２１４に接続されている画素６００に電源線（ＤＳＬｊ＋１）４１２の電源信号が印加される。
【００４０】
［画素の構成例］
図４は、表示装置１００における画素６００の構成例を模式的に示す回路図である。画素６００は、書込みトランジスタ６１０と、駆動トランジスタ６２０と、保持容量６３０と、発光素子６４０とを備える。なお、画素６００は、特許請求の範囲に記載の複数の画素回路の一例である。ここでは、書込みトランジスタ６１０および駆動トランジスタ６２０がそれぞれｎチャンネル型トランジスタである場合を想定する。
【００４１】
書込みトランジスタ６１０のゲート端子およびドレイン端子には、それぞれ走査線（ＷＳＬ）２１０およびデータ線（ＤＴＬ）３１０が接続される。また、書込みトランジスタ６１０のソース端子には、保持容量６３０の一方の電極および駆動トランジスタ６２０のゲート端子（ｇ）が接続される。ここでは、この接続部位を第１ノード（ＮＤ１）６５０とする。駆動トランジスタ６２０のドレイン端子（ｄ）には、電源線（ＤＳＬ）４１０が接続され、駆動トランジスタ６２０のソース端子（ｓ）には、保持容量６３０の他方の電極および発光素子６４０の入力端子が接続される。ここでは、この接続部位を第２ノード（ＮＤ２）６６０とする。
【００４２】
書込みトランジスタ６１０は、走査線（ＷＳＬ）２１０の制御信号に従って、データ線（ＤＴＬ）３１０からのデータ信号を保持容量６３０に書き込むものである。この書込みトランジスタ６１０は、発光素子６４０を発光させるための電圧を保持容量６３０に加えるために、保持容量６３０の一方の電極にデータ信号の電位を与える。
【００４３】
この書込みトランジスタ６１０は、保持容量６３０に対して、閾値補正により基準信号の電位（Ｖｏｆｓ）に基づいて閾値電圧を保持させた後に映像信号に相当する電圧を書き込む。また、この書込みトランジスタ６１０は、保持容量６３０の一方の電極に消光信号の電位（Ｖｅｒｓ）を与える。すなわち、この書込みトランジスタ６１０は、発光素子６４０を発光させるための駆動電流の供給を停止させるために、駆動トランジスタ６２０のゲート端子に消光信号の電位（Ｖｅｒｓ）を与える。なお、書込みトランジスタ６１０は、特許請求の範囲に記載の書込みトランジスタの一例である。
【００４４】
駆動トランジスタ６２０は、電源線（ＤＳＬ）４１０からの電源電位（Ｖｃｃ）を受けることによって、保持容量６３０に書き込まれた映像信号の電位（Ｖｓｉｇ）に基づく電圧に応じた駆動電流を発光素子６４０に出力するものである。また、この駆動トランジスタ６２０は、書込みトランジスタ６１０により、そのゲート端子に与えられた消光信号の電位（Ｖｅｒｓ）によって、発光素子６４０への駆動電流の供給を停止する。なお、駆動トランジスタ６２０は、特許請求の範囲に記載の駆動トランジスタの一例である。
【００４５】
保持容量６３０は、書込みトランジスタ６１０によって与えられたデータ信号に相当する電圧を保持するものである。この保持容量６３０は、例えば、書込みトランジスタ６１０によって書き込まれた映像信号に相当する電圧を保持する。なお、保持容量６３０は、特許請求の範囲に記載の保持容量の一例である。
【００４６】
発光素子６４０は、駆動トランジスタ６２０から供給された駆動電流の大きさに応じて発光するものである。この発光素子６４０は、例えば、有機ＥＬ素子により実現することができる。なお、発光素子６４０は、特許請求の範囲に記載の発光素子の一例である。
【００４７】
なお、この例では、書込みトランジスタ６１０および駆動トランジスタ６２０がそれぞれｎチャンネル型トランジスタである場合を想定したが、この組み合わせに限られるものではない。また、これらのトランジスタは、エンハンスメント型のものでもよく、デプレッション型やデュアルゲート型のものでもよい。
【００４８】
［画素の基本動作の例］
図５は、表示装置１００における画素６００の基本動作の一例に関するタイミングチャートである。このタイミングチャートには、横軸を共通の時間軸として、走査線（ＷＳＬ）２１０、データ線（ＤＴＬ）３１０、電源線（ＤＳＬ）４１０、第１ノード（ＮＤ１）６５０および第２ノード（ＮＤ２）６６０の電位変化が示されている。ここでは、第２ノード（ＮＤ２）６６０の電位変化が点線により示され、それ以外の電位変化が実線により示されている。なお、各期間を示す横軸の長さは模式的なものであり、各期間の時間長の割合を示すものではない。
【００４９】
このタイミングチャートでは、画素６００の動作の遷移をＴＰ１からＴＰ８の期間に便宜的に区切っている。発光期間ＴＰ８では、発光素子６４０は発光状態にある。発光期間ＴＰ８の終了直前において、走査線（ＷＳＬ）２１０の制御信号は第１オフ電位（Ｖｏｆｆ１）に、データ線（ＤＴＬ）３１０は消光信号の電位（Ｖｅｒｓ）に設定されている。また、電源線（ＤＳＬ）４１０の電源信号は電源電位（Ｖｃｃ）に設定されている。
【００５０】
この後、線順次走査の新しいフィールドに入り、消光期間ＴＰ１では、走査線（ＷＳＬ）２１０の制御信号が第１オフ電位（Ｖｏｆｆ１）からオン電位（Ｖｏｎ）に切り替えられる。これにより、第１ノード（ＮＤ１）６５０の電位が消光信号の電位（Ｖｅｒｓ）まで低下することに伴い、保持容量６３０によるカップリングの影響を受けることにより第２ノード（ＮＤ２）６６０の電位も低下する。
【００５１】
次に、消光期間ＴＰ２では、走査線（ＷＳＬ）２１０の制御信号は第２オフ電位（Ｖｏｆｆ２）に切り替えられる。これにより、第２ノード（ＮＤ２）６６０の電位が発光素子６４０の閾値電位（Ｖｔｈｅｌ＋Ｖｃａｔ）まで低下するため、発光素子６４０は消光する。このとき、第１ノード（ＮＤ１）６５０の電位も保持容量６３０からのカップリングの影響を受けて低下する。なお、Ｖｔｈｅｌは発光素子６４０の閾値電圧であり、Ｖｃａｔは発光素子６４０を構成するカソード電極に与えられる電位である。
【００５２】
また、閾値補正準備期間ＴＰ３において第１ノード（ＮＤ１）６５０の電位が初期化電位（Ｖｓｓ）付近まで低下する。この場合、走査線（ＷＳＬ）２１０の制御信号を第１オフ電位（Ｖｏｆｆ１）に設定すると、書込みトランジスタ６１０から第１ノード（ＮＤ１）６５０の方向にリーク電流が流れてしまう。このため、閾値補正準備期間ＴＰ３における第１ノード（ＮＤ１）６５０の電位を考慮して、走査線（ＷＳＬ）２１０の制御信号の第２オフ電位（Ｖｏｆｆ１）を第１オフ電位（Ｖｏｆｆ１）に比べて低い電位に設定する。
【００５３】
続いて、閾値補正準備期間ＴＰ３では、電源線（ＤＳＬ）４１０の電源信号は電源電位（Ｖｃｃ）から初期化電位（Ｖｓｓ）に切り替えられる。これにより、駆動トランジスタ６２０にはドレイン端子側に電流が流れることによって、第１ノード（ＮＤ１）６５０の電位が「Ｖｓｓ＋Ｖｔｈｄ」まで低下する。このとき、第２ノード（ＮＤ２）６６０の電位も低下する。なお、Ｖｔｈｄは、駆動トランジスタ６２０のドレイン端子とゲート端子との間の閾値電圧であり、ここではドレイン端子側の閾値電圧という。
【００５４】
次に、閾値補正待機期間ＴＰ４では、電源線（ＤＳＬ）４１０の電源信号は初期化電位（Ｖｓｓ）から電源電位（Ｖｃｃ）に切り替えられる。これにより、駆動トランジスタ６２０にはソース端子側である保持容量６３０の他方の電極に電流が流れることによって、第１ノード（ＮＤ１）６５０および第２ノード（ＮＤ２）６６０の電位が上昇する。
【００５５】
次に、閾値補正期間ＴＰ５では、閾値補正動作が行われる。データ線（ＤＴＬ）３１０のデータ信号が基準信号の電位（Ｖｏｆｓ）において、走査線（ＷＳＬ）２１０の制御信号は第２オフ電位（Ｖｏｆｆ２）からオン電位（Ｖｏｎ）に切り替えられる。これにより、第１ノード（ＮＤ１）６５０と第２ノード（ＮＤ２）６６０との間に駆動トランジスタ６２０の閾値電圧（Ｖｔｈ）に相当する電圧が加えられる。その後、ＴＰ６では、一旦、走査線（ＷＳＬ）２１０の制御信号が第１オフ電位（Ｖｏｆｆ１）に落とされ、データ線（ＤＴＬ）３１０のデータ信号が基準信号の電位（Ｖｏｆｓ）から映像信号の電位（Ｖｓｉｇ）に切り替えられる。
【００５６】
次に、書込み期間／移動度補正期間ＴＰ７では、走査線（ＷＳＬ）２１０の制御信号がオン電位（Ｖｏｎ）に上げられ、第１ノード（ＮＤ１）６５０の電位が映像信号の電位（Ｖｓｉｇ）まで上昇する。これに対して、第２ノード（ＮＤ２）６６０の電位は移動度補正による上昇量（ΔＶ）だけ上昇する。すなわち、走査線（ＷＳＬ）２１０の制御信号がオン電位（Ｖｏｎ）になることによって、保持容量６３０の一方の電極には映像信号の電位（Ｖｓｉｇ）が書き込まれる。それとともに、保持容量６３０の他方の電極には、ＴＰ５において加えられた電位（Ｖｏｆｓ−Ｖｔｈ）から移動度補正による上昇量（ΔＶ）だけ上昇した電位（（Ｖｏｆｓ−Ｖｔｈ）＋ΔＶ）が加えられる。これにより、保持容量６３０には、映像信号に相当する電圧として「Ｖｓｉｇ−（（Ｖｏｆｓ−Ｖｔｈ）＋ΔＶ）」の電圧が保持される。
【００５７】
この後、発光期間ＴＰ８では、走査線（ＷＳＬ）２１０の制御信号が第１オフ電位（Ｖｏｆｆ１）に設定される。これにより、保持容量６３０に保持された電圧（Ｖｓｉｇ−Ｖｏｆｓ＋Ｖｔｈ−ΔＶ）に応じた輝度により発光素子６４０が発光する。この場合、保持容量６３０に保持された電圧（Ｖｓｉｇ−Ｖｏｆｓ＋Ｖｔｈ−ΔＶ）は、閾値電圧（Ｖｔｈ）および移動度補正による上昇量（ΔＶ）によって補正されている。このため、発光素子６４０の輝度は、駆動トランジスタ６２０における閾値電圧（Ｖｔｈ）および移動度のばらつきによる影響を受けない。なお、発光期間ＴＰ８の途中までの期間では、第１ノード（ＮＤ１）６５０および第２ノード（ＮＤ２）６６０の電位は上昇する。このとき、第１ノード（ＮＤ１）６５０と第２ノード（ＮＤ２）６６０との間の電位差（Ｖｓｉｇ−Ｖｏｆｓ＋Ｖｔｈ−ΔＶ）は維持される。
【００５８】
なお、ここでは、発光素子６４０における１回の発光に対して閾値補正動作を１回行う例について説明したが、閾値補正動作の回数はこれに限定されるものではなく、２回以上としてもよい。
【００５９】
［画素の動作状態の詳細］
次に、上述の画素６００の動作について以下に図面を参照して詳細に説明する。以下の図面では、図５に示したタイミングチャートにおけるＴＰ１乃至ＴＰ８の期間に対応する画素６００の動作状態を示す。なお、便宜上、発光素子６４０の寄生容量６４１を図示する。また、書込みトランジスタ６１０をスイッチとして図示し、走査線（ＷＳＬ）２１０については省略する。
【００６０】
図６（ａ）乃至（ｃ）は、ＴＰ８、ＴＰ１、ＴＰ２の期間にそれぞれ対応する画素６００の動作状態を模式的に示す回路図である。発光期間ＴＰ８では、図６（ａ）に示すように、電源線（ＤＳＬ）４１０の電源信号は電源電位（Ｖｃｃ）に設定されており、駆動トランジスタ６２０は発光素子６４０に駆動電流（Ｉｄｓ）を供給している。
【００６１】
次に、消光期間ＴＰ１では、図６（ｂ）に示すように、データ線（ＤＴＬ）３１０のデータ信号が消光信号の電位（Ｖｅｒｓ）のときに、走査線（ＷＳＬ）２１０の制御信号が第１オフ電位（Ｖｏｆｆ１）からオン電位（Ｖｏｎ）に遷移する。これにより、書込みトランジスタ６１０がオン（導通）状態となることから、第１ノード（ＮＤ１）６５０の電位は消光信号の電位（Ｖｅｒｓ）まで低下する。このとき、第１ノード（ＮＤ１）６５０の電位低下による保持容量６３０を介したカップリングの影響によって第２ノード（ＮＤ２）６６０の電位も低下する。続いて、消光期間ＴＰ２では、図６（ｃ）に示すように、走査線（ＷＳＬ）２１０の制御信号が第２オフ電位（Ｖｏｆｆ２）に遷移することによって、書込みトランジスタ６１０はオフ（非導通）状態となる。ここでは、第２ノード（ＮＤ２）６６０の電位が発光素子６４０の閾値電位（Ｖｔｈｅｌ＋Ｖｃａｔ）まで低下することにより、発光素子６４０は消光する。なお、第１ノード（ＮＤ１）の電位も第２ノード（ＮＤ２）６６０の電位低下に倣うように低下する。
【００６２】
図７（ａ）乃至（ｃ）は、ＴＰ３乃至ＴＰ５の期間にそれぞれ対応する画素６００の動作状態を模式的に示す回路図である。
【００６３】
ＴＰ２に続いて、閾値補正準備期間ＴＰ３では、図７（ａ）に示すように、電源線（ＤＳＬ）４１０の電源信号が電源電位（Ｖｃｃ）から初期化電位（Ｖｓｓ）に切り替えられる。これにより、駆動トランジスタ６２０には電源線（ＤＳＬ）４１０の方向に電流が流れるため、第２ノード（ＮＤ２）６６０の電位は低下する。それとともに、第１ノード（ＮＤ１）６５０が浮遊状態にあるため、第２ノード（ＮＤ２）６６０の電位低下に倣うように第１ノード（ＮＤ１）６５０の電位も低下する。このとき、第１ノード（ＮＤ１）６５０の電位と電源線（ＤＳＬ）４１０の初期化電位（Ｖｓｓ）との間の電位差が駆動トランジスタ６２０におけるドレイン端子側の閾値電圧（Ｖｔｈｄ）に相当する電圧となるまで第１ノード（ＮＤ１）６５０の電位は低下する。すなわち、第１ノード（ＮＤ１）６５０の電位は「Ｖｓｓ＋Ｖｔｈｄ」まで低下する。
【００６４】
次に、閾値補正待機期間ＴＰ４では、図７（ｂ）に示すように、電源線（ＤＳＬ）４１０の電源信号は初期化電位（Ｖｓｓ）から初期化電位（Ｖｃｃ）に切り替えられる。これにより、駆動トランジスタ６２０には保持容量６３０の他方の電極の方向に微量の電流が流れるため、第１ノード（ＮＤ１）６５０および第２ノード（ＮＤ２）６６０の電位が若干上昇する。
【００６５】
そして、閾値補正期間ＴＰ５では、図７（ｃ）に示すように、データ線（ＤＴＬ）３１０のデータ信号が基準信号の電位（Ｖｏｆｓ）のときに、走査線（ＷＳＬ）２１０の制御信号が第２オフ電位（Ｖｏｆｆ２）からオン電位（Ｖｏｎ）に遷移する。これにより、第１ノード（ＮＤ１）６５０の電位は、基準信号の電位（Ｖｏｆｓ）に設定されるため、駆動トランジスタ６２０から保持容量６３０の他方の電極に電流が流れることから、第２ノード（ＮＤ２）６６０の電位が上昇する。
【００６６】
そして、第１ノード（ＮＤ１）６５０と第２ノード（ＮＤ２）６６０との間の電位差が駆動トランジスタ６２０におけるソース端子とゲート端子との間の閾値電圧（Ｖｔｈ）に相当する電圧となったところで電流が止まる（カットオフ状態となる）。これにより、基準信号の電位（Ｖｏｆｓ）を基準として駆動トランジスタ６２０の閾値電圧（Ｖｔｈ）に相当する電圧が保持容量６３０に保持され、閾値補正動作が完了する。なお、ここでは、カソード電極の電位（Ｖｃａｔ）を駆動トランジスタ６２０からの電流が発光素子６４０に流れないように設定している。
【００６７】
図８（ａ）乃至（ｃ）は、ＴＰ６乃至ＴＰ８の期間にそれぞれ対応する画素６００の動作状態を模式的に示す回路図である。
【００６８】
ＴＰ５に続いて、ＴＰ６では、図８（ａ）に示すように、走査線（ＷＳＬ）２１０における制御信号がオン電位（Ｖｏｎ）から第２オフ電位（Ｖｏｆｆ２）に遷移することによって、書込みトランジスタ６１０がオフ（非導通）状態となる。その後、データ線（ＤＴＬ）３１０のデータ信号が基準信号の電位（Ｖｏｆｓ）から映像信号の電位（Ｖｓｉｇ）に切り替えられる。この場合、データ線（ＤＴＬ）３１０においては、データ線（ＤＴＬ）３１０に接続された複数の画素６００内の書込みトランジスタ６１０により、映像信号の電位（Ｖｓｉｇ）の立ち上がりが緩やかになる。このため、データ線（ＤＴＬ）３１０のトランジェント特性を考慮し、データ信号が映像信号の電位（Ｖｓｉｇ）に達するまでの間、書込みトランジスタ６１０をオフ状態にしている。
【００６９】
ＴＰ６に続いて書込み期間／移動度補正期間ＴＰ７では、図８（ｂ）に示すように、走査線（ＷＳＬ）２１０の制御信号がオン電位（Ｖｏｎ）に遷移することにより、書込みトランジスタ６１０がオン状態となる。これにより、第１ノード（ＮＤ１）６５０の電位が映像信号の電位（Ｖｓｉｇ）に設定される。それとともに、駆動トランジスタ６２０から保持容量６３０の他方の電極に電流が流れることにより、第２ノード（ＮＤ２）６６０の電位が「ΔＶ」だけ上昇する。そして、第１ノード（ＮＤ１）６５０と第２ノード（ＮＤ２）６６０との間の電位差が「Ｖｓｉｇ−Ｖｏｆｓ＋Ｖｔｈ−ΔＶ」となる。このように、映像信号の電位（Ｖｓｉｇ）の書込み、および、移動度補正による上昇量（ΔＶ）の調整が行われる。
【００７０】
この動作において、映像信号の電位（Ｖｓｉｇ）が大きいほど駆動トランジスタから出力される電流が大きくなるため、移動度補正による上昇量（ΔＶ）も大きくなる。したがって、輝度レベル（映像信号の電位）に応じた移動度補正を行うことができるようになる。また、画素ごとの映像信号の電位（Ｖｓｉｇ）を一定にした場合には、駆動トランジスタの移動度が大きい画素ほど移動度補正による上昇量（ΔＶ）も大きくなる。例えば、駆動トランジスタの移動度が大きい画素では、移動度が小さい画素に比べて保持容量の他方の電極に流れる電流量が大きくなるため、その分だけ駆動トランジスタのゲート−ソース間電圧が低くなる。したがって、駆動トランジスタの移動度が大きい画素では、発光期間において発光素子に供給される駆動電流が移動度の小さい画素と同程度の大きさに調整されるようになる。このようにして、画素ごとの駆動トランジスタにおける移動度のばらつきが取り除かれる。
【００７１】
次に、発光期間ＴＰ８では、図８（ｃ）に示すように、走査線（ＷＳＬ）２１０の制御信号が第１オフ電位（Ｖｏｆｆ１）に遷移することにより、書込みトランジスタ６１０がオフ状態となる。これにより、駆動トランジスタ６２０からの駆動電流（Ｉｄｓ）に応じて第２ノード（ＮＤ２）６６０の電位が上昇するとともに、第１ノード（ＮＤ１）６５０の電位も連動して上昇する。このとき、ブートストラップ動作によって、第１ノード（ＮＤ１）６５０と第２ノード（ＮＤ２）６６０との間の電位差（Ｖｓｉｇ−Ｖｏｆｓ＋Ｖｔｈ−ΔＶ）は維持される。
【００７２】
このように、閾値補正動作により閾値電圧（Ｖｔｈ）に相当する電圧を保持容量６３０に保持させた後に、保持容量６３０の他方の電極に移動度補正動作による上昇量（ΔＶ）が加えられる。これにより、画素６００ごとの駆動トランジスタ６２０における閾値電圧および移動度のばらつきがキャンセルされるため、表示画像に現われるムラなどを防ぐことができる。
【００７３】
このような表示装置１００においては、発光素子６４０の寄生容量６４１および駆動トランジスタ６２０の寄生容量などによって消光期間ＴＰ１において第２ノード（ＮＤ２）６６０の電位が十分に低下しないことが想定される。消光期間ＴＰ１において第２ノード（ＮＤ２）６６０の電位が十分に低下しない場合における画素６００の動作について以下に図面を参照して説明する。
【００７４】
［消光期間における第２ノードの電位低下が緩やかな場合の例］
図９は、表示装置１００における消光期間ＴＰ１において第２ノード（ＮＤ２）６６０の電位が緩やかに低下する場合における画素６００の動作を例示するタイミングチャートである。なお、ここでは、太い点線により示す第２ノード（ＮＤ２）６６０の電位変化以外は、図５に示したものと同様である。また、細い点線に示す第２ノード（ＮＤ２）６６０の電位変化は、図５に示した第２ノード（ＮＤ２）６６０の電位変化である。
【００７５】
この例では、太い点線により示される第２ノード（ＮＤ２）６６０の電位変化に着目して説明する。消光期間ＴＰ１では、第１ノード（ＮＤ１）６５０の電位低下に伴う保持容量６３０からのカップリングによって第２ノード（ＮＤ２）６６０の電位が低下する。この場合には、発光素子６４０の寄生容量６４１などの影響によって第２ノード（ＮＤ２）６６０の電位は急峻には低下しない。そして、消光期間ＴＰ２では、第２ノード（ＮＤ２）６６０の電位が徐々に低下して、発光素子６４０の閾値電位（Ｖｔｈｅｌ＋Ｖｃａｔ）に達する前に閾値補正準備期間ＴＰ３に遷移する。
【００７６】
このとき、第２ノード（ＮＤ２）６６０の電位が発光素子６４０の閾値電位（Ｖｔｈｅｌ＋Ｖｃａｔ）に比べて高いことから、発光素子６４０には電流が流れ続けてしまう。このため、消光期間ＴＰ２において徐々に輝度は低下するものの発光素子６４０は発光を継続してしまう。
【００７７】
その後、閾値補正準備期間ＴＰ３では、電源線（ＤＳＬ）４１０の電源信号が電源電位（Ｖｃｃ）から初期化電位（Ｖｓｓ）に切り替えられるため、第２ノード（ＮＤ２）６６０の電位は発光素子６４０の閾値電位（Ｖｔｈｅｌ＋Ｖｃａｔ）に比べて低くなる。これにより、発光素子６４０は完全に消光する。
【００７８】
このように、発光素子６４０は、閾値補正準備期間ＴＰ３の直前まで発光し続ける。表示装置１００においては、複数行単位により電源信号が同時に切り替わることから、図３に示したとおり、各行の画素６００ごとに消光期間ＴＰ２は異なる。このため、各行の画素６００ごとに発光素子６４０が発光する期間が異なってしまう。
【００７９】
図１０は、表示装置１００における消光期間ＴＰ１において第２ノード（ＮＤ２）６６０の電位が緩やかに低下する場合における表示装置１００に表示される表示画像に関する図である。図１０（ａ）は、表示装置１００に表示される表示画像の一例を示す図である。図１０（ｂ）は、表示画像に対する列方向の輝度特性を示す図である。ここでは、表示装置１００に入力される入力画像を全体が灰色の画像と想定している。
【００８０】
図１０（ａ）には、電源線共用領域４５１乃至４５３が示されている。電源線共用領域４５１乃至４５３は、同一の電源信号が供給される画素６００によって表示されるそれぞれの領域を示す。この電源線共用領域４５１乃至４５３は、上の行から順番に徐々に暗くなっている。なお、この電源線共用領域４５１乃至４５３における最も暗い色が入力画像の色である。
【００８１】
図１０（ｂ）には、輝度特性４６０が示されている。ここでは、縦軸を表示画像の水平ラインとし、横軸を輝度レベルとする。輝度特性４６０は、図１０（ａ）に示された表示画像の水平ラインに対応する輝度レベルを示す輝度特性である。
【００８２】
このように、消光期間ＴＰ１において第２ノード（ＮＤ２）６６０の電位が十分に低下しない場合には、１行ごとに異なる消光期間ＴＰ２における画素６００の発光に伴い、表示画像にグラデーションが生じてしまう。このため、表示画像に生じるグラデーションを軽減するために改良したものが、次に説明する本発明の第１の実施の形態である。
【００８３】
［水平セレクタの構成例］
図１１は、本発明の第１の実施の形態における水平セレクタ（ＨＳＥＬ）３００によるデータ線（ＤＴＬ）３１１乃至３１３に供給されるデータ信号の生成手法の一例を示す図である。
【００８４】
図１１（ａ）は、本発明の第１の実施の形態における水平セレクタ（ＨＳＥＬ）３００における一構成例を示すブロック図である。ここでは、切替制御線３２４、切替回路３８１乃至３８３および消光準備信号線３９３以外の他の構成は、図２（ａ）に示したものと同様であるため、同一符号を付してここでの説明を省略する。なお、この水平セレクタ（ＨＳＥＬ）３００は、特許請求の範囲に記載の信号供給回路の一例である。
【００８５】
消光準備信号線３９３には、消光信号の電位（Ｖｅｒｓ）に比べて高い電位である一定の消光準備信号（Ｖｐｒｅ−ｅｒｓ）が供給されている。なお、消光準備信号の電位（Ｖｐｒｅ−ｅｒｓ）は、特許請求の範囲に記載の高レベル電位の一例である。
【００８６】
切替制御線３２４には、切替回路３８１乃至３８３の切り替えを制御するための切替制御信号（Ｇｐｒｅ−ｅｒｓ）が供給される。切替回路３８１乃至３８３は、切替制御線３２４からの切替制御信号（Ｇｐｒｅ−ｅｒｓ）に基づいて、消光準備信号線３９３とデータ線（ＤＴＬ）３１１乃至３１３との間の接続の有無をそれぞれ切り替えるものである。
【００８７】
図１１（ｂ）は、図１１（ａ）に示した構成における切替制御線３２１乃至３２４およびデータ線（ＤＴＬ）３１０の電位変化を示すタイミングチャートである。ここでは、横軸を共通の時間軸として切替制御線３２１乃至３２４およびデータ線（ＤＴＬ）３１０の電位変化が示されている。また、映像信号の電位（Ｖｓｉｇ）は、本来、表示装置１００に入力される映像信号に応じて変化するが、この例では、一定の電位であることを想定している。
【００８８】
ここでは、１水平走査期間における水平セレクタ（ＨＳＥＬ）３００の動作について説明する。まず、１つ前の水平走査期間の終了直前において、切替制御線３２１における切替制御信号（Ｇｓｉｇ）の電位がＬレベルに、切替制御線３２２における切替制御信号（Ｇｏｆｓ）の電位がＨレベルに設定されている。また、切替制御線３２３における切替制御信号（Ｇｅｒｓ）の電位がＬレベルに、切替制御線３２４における切替制御信号（Ｇｐｒｅ−ｐｒｓ）の電位がＬレベルに設定されている。
【００８９】
そして、１水平走査期間（１Ｈ）において、切替制御線３２１における切替制御信号（Ｇｓｉｇ）の電位がＬレベルからＨレベルに遷移する。それとともに、切替制御線３２２における切替制御信号（Ｇｏｆｓ）の電位がＨレベルからＬレベルに切り替る。これにより、切替回路３５１乃至３５３により映像信号線３０１乃至３０３とデータ線（ＤＴＬ）３１１乃至３１３とがそれぞれ接続されるため、データ線（ＤＴＬ）３１０にデータ信号として映像信号（Ｖｓｉｇ）が供給される。
【００９０】
次に、切替制御線３２１における切替制御信号（Ｇｓｉｇ）の電位がＨレベルからＬレベルに切り替るとともに、切替制御線３２４における切替制御信号（Ｇｐｒｅ−ｅｒｓ）の電位がＬレベルからＨレベルに切り替る。これにより、切替回路３８１乃至３８３により消光準備信号線３９３とデータ線（ＤＴＬ）３１１乃至３１３とがそれぞれ接続されるため、データ線（ＤＴＬ）３１０にデータ信号として消光準備信号（Ｖｐｒｅ−ｅｒｓ）が供給される。
【００９１】
次に、切替制御線３２４における切替制御信号（Ｇｐｒｅ−ｅｒｓ）の電位がＨレベルからＬレベルに切り替るとともに、切替制御線３２３における切替制御信号（Ｇｅｒｓ）の電位がＬレベルからＨレベルに切り替る。これにより、切替回路３７１乃至３７３により消光信号線３９２とデータ線（ＤＴＬ）３１１乃至３１３とがそれぞれ接続されるため、データ線（ＤＴＬ）３１０にデータ信号として消光信号（Ｖｅｒｓ）が供給される。
【００９２】
そして、切替制御線３２３における切替制御信号（Ｇｅｒｓ）の電位がＨレベルからＬレベルに遷移するとともに、切替制御線３２２における切替制御信号（Ｇｏｆｓ）の電位がＬレベルからＨレベルに切り替る。これにより、切替回路３６１乃至３６３により基準信号線３９１とデータ線（ＤＴＬ）３１１乃至３１３とがそれぞれ接続されるため、データ線（ＤＴＬ）３１０にデータ信号として基準信号（Ｖｏｆｓ）が供給される。
【００９３】
このように、水平セレクタ（ＨＳＥＬ）３００は、切替制御線３２４、切替回路３８１乃至３８３および消光準備信号線３９３を設けることによって、１水平走査期間において新たに消光準備信号の電位（Ｖｐｒｅ−ｅｒｓ）をデータ信号に設けることができる。すなわち、水平セレクタ（ＨＳＥＬ）３００は、基準信号の電位（Ｖｏｆｓ）と、映像信号の電位（Ｖｓｉｇ）と、消光信号の電位（Ｖｅｒｓ）と、消光準備信号の電位（Ｖｐｒｅ−ｅｒｓ）とのうちいずれか１つの電位を画素６００に供給することができる。さらに、この水平セレクタ（ＨＳＥＬ）３００は、消光準備信号の電位（Ｖｐｒｅ−ｅｒｓ）および消光信号の電位（Ｖｅｒｓ）の順番にデータ線（ＤＴＬ）３１０のデータ信号を生成することができる。次に、本発明の第１の実施の形態における水平セレクタ（ＨＳＥＬ）３００を備えた表示装置１００における画素６００の動作について説明する。
【００９４】
［画素の動作の例］
図１２は、本発明の第１の実施の形態における画素６００の動作の一例に関するタイミングチャートである。ここでは、データ線（ＤＴＬ）３１０および第２ノード（ＮＤ２）６６０の電位変化以外は、図９に示したものと同様である。また、細い点線により示されている第２ノード（ＮＤ２）６６０の電位変化は、図９に示した太い点線により示された第２ノード（ＮＤ２）６６０の電位変化である。また、この例では、発光期間ＴＰ８における第１ノード６５０の電位が消光準備信号の電位（Ｖｐｒｅ−ｅｒｓ）に比べて低い場合を想定している。
【００９５】
ここでは、太い点線により示されている第２ノード（ＮＤ２）６６０の電位変化に着目して説明する。消光期間ＴＰ１では、走査線（ＷＳＬ）２１０の制御信号がオン電位（Ｖｏｎ）であるため、第１ノード（ＮＤ１）６５０の電位は消光準備信号の電位（Ｖｐｒｅ−ｅｒｓ）に設定される。これにより、第１ノード（ＮＤ１）６５０の電位が急峻に立ち上がることから、保持容量６３０からのカップリングの影響により第２ノード（ＮＤ２）６６０の電位は上昇する。このため、細い点線により示されている第２ノード（ＮＤ２）６６０に比べて電位が高くなる。
【００９６】
そして、走査線（ＷＳＬ）２１０の制御信号がオン電位（Ｖｏｎ）のときに、データ線（ＤＴＬ）３１０のデータ信号は消光信号の電位（Ｖｐｒｅ）に切り替えられる。これにより、第１ノード（ＮＤ１）６５０の電位が消光信号の電位（Ｖｅｒｓ）まで低下するため、第２ノード（ＮＤ２）６６０の電位も若干低下する。
【００９７】
その後、消光期間ＴＰ２では、走査線（ＷＳＬ）２１０の制御信号が第２オフ電位（Ｖｆｆ２）に切り替えられ、第２ノード（ＮＤ２）６６０の電位は徐々に低下していく。
【００９８】
このように、消光期間ＴＰ１において、消光準備信号の電位（Ｖｐｒｅ−ｅｒｓ）および消光信号の電位（Ｖｅｒｓ）の順番にデータ線（ＤＴＬ）３１０のデータ信号を生成することによって、第２ノード（ＮＤ２）６６０の電位を上昇させることができる。すなわち、消光期間ＴＰ１において、書込みトランジスタ６１０により駆動トランジスタ６２０のゲート端子に対して消光準備信号の電位（Ｖｐｒｅ−ｅｒｓ）および消光信号の電位（Ｖｅｒｓ）の順番に電位を与える。これにより、消光期間の開始時における第１ノード（ＮＤ１）６５０の急峻な電位上昇に伴う保持容量６３０によるカップリングによって、第２ノード（ＮＤ２）６６０の電位を上昇させる。このため、消光期間において発光素子６４０に供給される電流は、第２ノード（ＮＤ２）６６０の電位上昇により大きくなる。次に、消光期間ＴＰ１における第２ノード（ＮＤ２）６６０の電位上昇による表示画像におけるグラデーションに関して図面を参照して以下に説明する。
【００９９】
［ＴＰ１における第２ノードの電位上昇に関するモデル化の例］
図１３は、本発明の第１の実施の形態による消光期間ＴＰ１における第２ノード（ＮＤ２）６６０の電位上昇による表示画像のグラデーションに関する図である。
【０１００】
図１３（ａ）は、４８行単位により画素６００に同じ電源信号を供給する表示装置１００の動作の一例を示すタイミングチャートである。ここでは、横軸を共通の時間軸として電源線（ＤＳＬ）４１１と、データ線（ＤＴＬ）３１０と、走査線（ＷＳＬ）２１１乃至２１３との電位変化が示されている。この例では、走査線（ＷＳＬ１）２１１の消光期間は２００Ｈ（水平走査期間）である。走査線（ＷＳＬ４８）２１３の消光期間は１５３Ｈである。このように、各行の画素６００ごとに消光期間が異なり、下の行の画素６００ほど消光期間は短くなることがわかる。
【０１０１】
図１３（ｂ）は、図１３（ａ）の場合において消光期間ＴＰ１およびＴＰ２における発光素子６４０に供給される電流に関する特性をＲＣモデルに基づいて算出した結果の一例を示す図である。ここでは、実線により電流特性６６１および破線により電流特性６６２が示されている。また、横軸を消光期間とし、縦軸を発光素子６４０に供給される電流値としている。この電流値は、データ信号に消光準備信号（Ｖｐｒｅ−ｅｒｓ）がない場合における消光期間直前の電流値を基準に正規化したものである。
【０１０２】
電流特性６６１は、消光準備信号（Ｖｐｒｅ−ｅｒｓ）による第２ノード（ＮＤ２）６６０の電位上昇がない場合における電流特性である。電流特性６６２は、消光準備信号（Ｖｐｒｅ−ｅｒｓ）による第２ノード（ＮＤ２）６６０の電位上昇がある場合における電流特性である。この電流特性６６２は、消光期間開始時における電流の大きさを「１．２５」としたときの電流特性である。
【０１０３】
ここでは、走査線（ＷＳＬ１）２１１および走査線（ＷＳＬ４８）２１３に接続された画素６００における電流値の積分値の差が大きいほど、表示画像におけるグラデーションが大きくなることを意味する。ここで、電流特性６６１における積分値と電流特性６６２における積分値との比較結果を次図に示す。
【０１０４】
図１４は、図１３（ｂ）に示した電流特性６６１および６６２における積分値の比較結果を示す図である。
【０１０５】
１行目の積分値７１１には、図１３（ｂ）に示したＷＳＬ１積分範囲の積分値が示されている。４８行目の積分値７１２には、図１３（ｂ）に示したＷＳＬ４８積分範囲の積分値が示されている。差分比率７１３には、１行目の積分値７１１から４８行目の積分値７１２を減じた値を１行目の積分値７１１により除算することによって算出される値が示されている。
【０１０６】
電流特性７２０の電流小には、図１３（ｂ）に示した電流特性６６１の電流特性の積分値が示されている。電流特性７２０の電流大には、図１３（ｂ）に示した電流特性６６２の電流特性の積分値が示されている。
【０１０７】
このように、消光期間ＴＰ１における発光素子６４０に供給する電流を大きくすることにより差分比率７１３が小さくなることから、表示画像におけるグラデーションを軽減させることができる。すなわち、消光準備信号の電位（Ｖｐｒｅ−ｅｒｓ）を用いて、第２ノード（ＮＤ２）６６０の電位を消光期間ＴＰ１において上昇させることによって、表示画像におけるグラデーションを軽減させることができる。なお、表示画面におけるグラデーションを視覚的に見え難くするためには、差分比率７１３を「５％」程度に抑えることが望ましい。
【０１０８】
ここで、消光準備信号の電位（Ｖｐｒｅ−ｅｒｓ）の設定手法について簡単に説明する。差分比率７１３は、消光準備信号の電位（Ｖｐｒｅ−ｅｒｓ）を高く設定するほど小さくなるが、高くし過ぎると、消光期間ＴＰ１およびＴ２における発光素子６４０の発光量が大きくなる。例えば、入力画像が黒色である場合には、表示画像は黒色より明るい色になってしまう。すなわち、黒色が浮いた表示画像になってしまう。このため、消光準備信号の電位（Ｖｐｒｅ−ｅｒｓ）は、映像信号の電位（Ｖｓｉｇ）の範囲内に設定することが望ましい。さらには、表示画像におけるグラデーションは、黒色付近の入力画像に対して視認されることから、映像信号の電位（Ｖｓｉｇ）の範囲における中程より低い範囲内に設定することが望ましい。これにより、表示画像におけるグラデーションを軽減するとともに、黒色付近の入力画像の再現性を維持することができる。
【０１０９】
このように、消光期間ＴＰ１において第１ノード（ＮＤ１）６５０に対して消光準備信号（Ｖｐｒｅ−ｅｒｓ）および消光信号（Ｖｅｒｓ）の順番に電位を与えることによって、表示装置１００に表示される表示画像に現われるグラデーションを緩和することができる。なお、本発明の第１の実施の形態では、データ信号における消光準備信号（Ｖｐｒｅ−ｅｒｓ）を映像信号（Ｖｓｉｇ）の後に生成する例について説明したが、基準信号（Ｖｏｆｓ）の後に生成するようにしてもよい。
【０１１０】
［データ信号の生成波形の変形例］
図１５は、本発明の第１の実施の形態におけるデータ信号の生成波形の変形例を示す図である。ここでは、横軸を共通の時間軸として、データ線（ＤＴＬ）３１０および走査線（ＷＳＬ）２１０の電位変化が示されている。図１５（ａ）は、本発明の第１の実施の形態におけるデータ信号の波形を示す図である。この場合、データ線（ＤＴＬ）３１０におけるデータ信号は、基準信号（Ｖｏｆｓ）、映像信号（Ｖｓｉｇ）、消光準備信号（Ｖｐｒｅ−ｅｒｓ）、基準信号（Ｖｏｆｓ）の順番に生成される。
【０１１１】
図１５（ｂ）は、データ信号における消光準備信号の電位（Ｖｐｒｅ−ｅｒｓ）を基準信号の電位（Ｖｏｆｓ）の後に生成する場合の一例を示す図である。この場合、データ線（ＤＴＬ）３１０におけるデータ信号は、基準信号（Ｖｏｆｓ）、消光準備信号（Ｖｐｒｅ−ｅｒｓ）、映像信号（Ｖｓｉｇ）、基準信号（Ｖｏｆｓ）の順番に生成される。
【０１１２】
このように、消光準備信号（Ｖｐｒｅ−ｅｒｓ）および消光信号（Ｖｅｒｓ）の順番を変えずに、基準信号（Ｖｓｉｇ）の後に消光準備信号（Ｖｐｒｅ−ｅｒｓ）を生成するようにしてもよい。
【０１１３】
このように、本発明の第１の実施の形態によれば、複数行の画素６００ごとに同一の電源信号を供給する場合であっても、データ信号に消光準備信号の電位（Ｖｐｒｅ−ｅｒｓ）を設けることによって、表示画像に現われるグラデーションを軽減することができる。これにより、入力画像の再現性を維持しつつ、電源スキャナ（ＷＳＣＮ）４００のドライバ削減によりコストの低減を図ることができる。
【０１１４】
なお、本発明の第１の実施の形態における表示装置は、フラットパネル形状を有し、様々な電子機器、例えば、デジタルカメラ、ノート型パーソナルコンピュータ、携帯電話、ビデオカメラなどのディスプレイに適用することができる。また、電子機器に入力された映像信号や電子機器内で生成した映像信号を画像または映像として表示するあらゆる分野の電子機器のディスプレイに適用することができる。このような表示装置が適用された電子機器の例を以下に示す。
【０１１５】
＜２．第２の実施の形態＞
［電子機器への適用例］
図１６は、本発明の第２の実施の形態におけるテレビジョンセットの例である。このテレビジョンセットは、本発明の第１の実施の形態が適用されたテレビジョンセットである。このテレビジョンセットは、フロントパネル１２、フィルターガラス１３等から構成される映像表示画面１１を含み、本発明の第１の実施の形態における表示装置をその映像表示画面１１に用いることにより作製される。
【０１１６】
図１７は、本発明の第２の実施の形態におけるデジタルスチルカメラの例である。このデジタルスチルカメラは、本発明の第１の実施の形態が適用されたデジタルスチルカメラである。ここでは、上にデジタルスチルカメラの正面図を示し、下にデジタルスチルカメラの背面図を示す。このデジタルスチルカメラは、撮像レンズ１５、表示部１６、コントロールスイッチ、メニュースイッチ、シャッター１９等を含み、本発明の第１の実施の形態における表示装置をその表示部１６に用いることにより作製される。
【０１１７】
図１８は、本発明の第２の実施の形態におけるノート型パーソナルコンピュータの例である。このノート型パーソナルコンピュータは、本発明の第１の実施の形態が適用されたノート型パーソナルコンピュータである。このノート型パーソナルコンピュータは、本体２０には文字等を入力するとき操作されるキーボード２１を含み、本体カバーには画像を表示する表示部２２を含み、本発明の第１の実施の形態における表示装置をその表示部２２に用いることにより作製される。
【０１１８】
図１９は、本発明の第２の実施の形態における携帯端末装置の例である。この携帯端末装置は、本発明の第１の実施の形態が適用された携帯端末装置である。ここでは、左側に携帯端末装置の開いた状態を示し、右側に携帯端末装置の閉じた状態を示している。この携帯端末装置は、上側筐体２３、下側筐体２４、連結部（ここではヒンジ部）２５、ディスプレイ２６、サブディスプレイ２７、ピクチャーライト２８、カメラ２９等を含む。また、この携帯端末装置は、本発明の第１の実施の形態における表示装置をそのディスプレイ２６やサブディスプレイ２７に用いることにより作製される。
【０１１９】
図２０は、本発明の第２の実施の形態におけるビデオカメラの例である。このビデオカメラは、本発明の第１の実施の形態が適用されたビデオカメラである。このビデオカメラは、本体部３０、前方を向いた側面に被写体撮影用のレンズ３４、撮影時のスタート／ストップスイッチ３５、モニター３６等を含み、本発明の第１の実施の形態における表示装置をそのモニター３６に用いることにより作製される。
【０１２０】
なお、本発明の実施の形態は本発明を具現化するための一例を示したものであり、上述のように特許請求の範囲における発明特定事項とそれぞれ対応関係を有する。ただし、本発明は実施の形態に限定されるものではなく、本発明の要旨を逸脱しない範囲において種々の変形を施すことができる。
【符号の説明】
【０１２１】
１００  表示装置
２００  ライトスキャナ
２０１〜２０５  ドライバ
２１０〜２１５  走査線
３００  水平セレクタ
３１０〜３１３  データ線
３２１〜３２４  切替制御線
３５１〜３５３、３６１〜３６３、３７１〜３７３、３８１〜３８３  切替回路
３９１  基準信号線
３９２  消光信号線
３９３  消光準備信号線
４００  電源スキャナ
４０１〜４０３  ドライバ
４１０〜４１３  電源線
５００  画素アレイ部
６００  画素
６１０  書込みトランジスタ
６２０  駆動トランジスタ
６３０  保持容量
６４０  発光素子
６４１  寄生容量
【図１】
2010224416.tif 000003
【図２】
2010224416.tif 000004
【図３】
2010224416.tif 000005
【図４】
2010224416.tif 000006
【図５】
2010224416.tif 000007
【図６】
2010224416.tif 000008
【図７】
2010224416.tif 000009
【図８】
2010224416.tif 000010
【図９】
2010224416.tif 000011
【図１１】
2010224416.tif 000012
【図１２】
2010224416.tif 000013
【図１３】
2010224416.tif 000014
【図１４】
2010224416.tif 000015
【図１５】
2010224416.tif 000016
【図１６】
2010224416.tif 000017
【図１７】
2010224416.tif 000018
【図１８】
2010224416.tif 000019
【図１９】
2010224416.tif 000020
【図２０】
2010224416.tif 000021
【図１０】
2010224416.tif 000022